(57)【要約】【課題】トイレットペパーの取り出しにおいて使用者へ向けて紙を手繰る手に巻き取ることを容易にする。【解決手段】トイレットペパー４の巻き軸芯６に巻かれた紙を軸芯より取り出しやすくするために軸芯を使用者に向けて巻紙ホルダー５を設置する台板９を蝶番の一片に連結し、蝶番のもう一片を取り付け板８に連結して、取り付け板８を壁面若しくは柱面に取り付けて、台板９の角度調整用ストッパー１１を設けて使用者にとってトイレットペパーを取り出しやすい方向に巻紙ホルダーを向けるようにすることを最も主要な特徴とする。【選択図】図１
2006334041.tif 000002
【特許請求の範囲】
【請求項１】
巻紙ホルダーの裏面部又は平面部を設置する台板９を備え、該台板を蝶番７の一片に連結し、柱若しくは壁に取り付けるための取り付け板８を前記の蝶番のもう一片に連結して巻紙ホルダーを設置した前記の台板９が取り付け板に対して０度から９０度に回動することを特徴とするトイレットペーパーを取り出しやすい巻紙ホルダー。
【請求項２】
巻紙ホルダーの裏面部を設置する台板９の下方にストッパー１１を備え、蝶番７の一片に連結した前記台板には回動を停止させるためのストッパーに掛かる位置決め爪２０を備え、前記台板を開いたときに取り付け板に対し４５〜９０度で停止することを特徴とする請求項１に記載のトイレットペーパーを取り出しやすい巻紙ホルダー。
【請求項３】
巻紙ホルダーの平面部を設置する台板９の一部にストッパー１１ｂを備え、蝶番７の一片に連結した前記台板を開いたときに壁面又は柱面に縦に取り付けた取り付け板８に対して９０度回動して停止させるためのストッパーの支板１２を備えることを特徴とする請求項１に記載のトイレットペーパーを取り出しやすい巻紙ホルダー。
【請求項４】
巻紙ホルダーをスライド移動するための調節用長穴を有する巻紙ホルダーの裏面部を台板に設けたボルト穴にボルトで締結し、巻紙ホルダーの位置を変更できるようにしたことを特徴とする請求項１または２に記載のトイレットペーパーを取り出しやすい巻紙ホルダー。
【請求項５】
巻紙ホルダーをスライド移動するための調節用長穴を有する巻紙ホルダーの平面部を台板に設けたボルト穴にボルトで締結し、巻紙ホルダーの位置を変更できるようにしたことを特徴とする請求項１または３に記載のトイレットペーパーを取り出しやすい巻紙ホルダー。
【請求項６】
巻紙ホルダーの裏面部または平面部を設置する台板９又は台板９を蝶番７で連結した取り付け板８に小物入れ籠を備えることを特徴とする請求項１又は２に記載のトイレットペーパーを取り出しやすい巻紙ホルダー。
【請求項７】
左右の高さが異なる台形の台１の斜面部に巻紙ホルダーの裏面部を設置し、前記台１を壁面若しくは柱面に取り付けるための取り付け部２を備えている前記の台の斜面部に巻紙ホルダーを傾斜して設置したことを特徴とするトイレットペーパーを取り出しやすい巻紙ホルダー。
【請求項８】
巻紙ホルダーの裏面部に長穴を有し、台１の斜面部にボルト穴を設けてボルトで巻紙ホルダーの裏面部を締結し、巻紙ホルダーの位置を変更できることを特徴とする請求項７に記載のトイレットペーパーを取り出しやすい巻紙ホルダー。
【請求項９】
台形の台１に小物入れ籠を備えることを特徴とする請求項７に記載のトイレットペーパーを取り出しやすい巻紙ホルダー。
【発明の詳細な説明】
【技術分野】
【０００１】
本発明は、トイレットペーパーの取り出しが容易な巻紙ホルダーに関するものである。
【背景技術】
【０００２】
トイレットペパーの巻紙ホルダーは、室内側面の壁面或いは柱面に取り付けられるため、使用者の正面にトイレットペパーを取り出しにくいという問題がある。トイレの隅に置く巻紙ホルダーが公開されている（特許文献１）が、室内が広くて隅にそれを置いてある場合は腕が短い子供の場合に手が届かない問題がある。
【０００３】
しかし、トイレットの室内に巻紙ホルダーを取り付けるためには使用者にとって十分に手が届く近い位置に置くことが必要である。側面の壁面或いは柱面に巻紙ホルダーを取り付けた典型的な使用例は、巻紙ホルダーの方向が使用者にとって横方向になるので、ホルダーにセットされたトイレットペーパーを横方向に手繰りしながら巻き取る不便があった。
【０００４】
トイレットペパーを供給する用途において子供、老人、身体不自由者にとってこの欠点は、紙を自ら手繰り取り出す操作性に関して大きな障害である。具体的には、トイレットペーパーを斜めに取り出す、幼児は手が届かない、などの問題があった。
【０００５】
この改善策として、本発明装置を提案するものである。
【特許文献１】特開２０００−１９７５８３号公報
【発明の開示】
【発明が解決しようとする課題】
【０００６】
解決しようとする問題点は、室内に横向きに固定した巻紙ホルダーからトイレットペパーの取り出しにおいて、自分に向けて短い腕の手に巻き取ることが容易にできない点である。
【課題を解決するための手段】
【０００７】
本発明は、トイレットペパーを手繰る場合に自分へ向けて手に巻き取ることを可能とするため、壁面若しくは柱面にトイレットペパー４の巻き軸芯６が斜めに設置できるようにしてトイレットペパーの取り出し方向を使用者に向けて使用者の身近にトイレットペパーを取り出しやすくすることを最も主要な特徴とする。
【発明の効果】
【０００８】
本発明の取り出しやすい巻紙ホルダーは、トイレットペーパーを取り出しやすくするために巻紙ホルダーを回動若しくは固定して、巻き軸芯を斜めに設置して軸芯のトイレットペパーの取り出し方向が使用者の身近に正面に向きやすくしたので取り出し方向を自分の方へ向け、大人、子供、老人、身体不自由者にも容易に取れるという利点がある。
【発明を実施するための最良の形態】
【０００９】
取り出しやすい巻紙ホルダーは、巻紙ホルダーの軸芯を斜めに設置しトイレットペーパーを取り出しやすくするために、巻紙ホルダーの設置された室内側面に対して軸芯が角度を有しており、折り畳み収納型と固定型がある。お折り畳み収納型は、巻紙ホルダーの軸芯を横方向又は縦方向に折りたためるものである。大人、小児、老人、身体不自由な人にも巻紙ホルダーのトイレットペーパーを取り出しやすくするという目的を、使用者が取り出しやすいように使用者に近い位置で軸芯を斜め方向に設置できるようにして実現した。
【実施例１】
【００１０】
図１〜５は、本発明装置の折りたたみ収納型（横型）の場合である。図は、１実施例の実施方法を説明するための平面図、正面図、側面図、分解平面図であって、折り畳み収納でがきる取り出しやすい巻紙ホルダー（横型）である。  ４は、    トイレットペーパー、  ５は、    ホルダー、６は、    紙巻の軸芯、７は、    取り付け板と台板を連結してホルダーが回動可能にしている蝶板、８は、    取り付け板、９は、    台板、１１は、    ストッパー、１４は、    ホルダー裏面部、１５は、    ボルト、１６は、    長穴、１７は、  小物入れ籠、１８は、  蓋押さえスプリング、１９は、  トイレットペーパーの蓋、２０は、  位置決め爪である。
である。
【００１１】
巻紙ホルダーの裏面部１４を設置する台板９を備え、該台板を蝶番７の一辺に連結し、柱若しくは壁に取り付けるための取り付け板８を前記の蝶板のもう一辺に連結し巻紙ホルダーを設置した台板が取り付け板に対して０度から９０度に回動してトイレットペーパーを取り出しやすい巻紙ホルダーにした。
【００１２】
巻紙ホルダーの裏面部を設置する台板９の一部にストッパー１１を備え、蝶板７を中心にその台板を開いたときに４５〜９０度で回動を停止させるようにする。
【００１３】
調節用長穴１６を巻紙ホルダー５の裏面部１４に有するようにして、巻紙ホルダーの裏面部１４を台板９に設置する位置を変更できるようにした。ボルトを緩めて調節用長穴１６に沿って巻紙ホルダーを左右にスライド移動する。左右、上下にスライド移動することができるように、十字形に調節用長穴を設けても良い。
【００１４】
巻紙ホルダー５の裏面部１４に調節用長穴１６を有し、この長穴に関係付けて台板９にボルト穴を有するようにして長穴を介してボルト穴にボルトを締結して巻紙ホルダーの設置位置を変更できる。
【００１５】
上記に説明したように折り畳み収納型（横型）の場合には、台板９折り畳めば空間を広くし、台板９を開けた場合は台板に備えるようにした位置決め爪２０が台板の下方に取り付けたストッパーに掛り、軸芯６の角度によってトイレットペーパーの取り出し方向を４５〜９０度にすることができる。巻紙ホルダーを設置する台板９に籠１７を設け、めがね、薬剤、生理用品など小物置きとして使用できるようにした。
【実施例２】
【００１６】
図６〜７の実施例は、折りたたみ収納型（縦型）の場合である。４〜９，１１，１４〜１９は、図１〜５と同じであり、１２は、    ストッパーの支板、１３は、巻紙ホルダーの上部に設けたホルダー平面部である。台板９に取り付けた蝶番７によって、トイレットペーパーを装着した巻紙ホルダーを室内の側面から横に倒して取り出したり、巻紙ホルダー５を起こして縦に収納することができるので、例えば巻紙ホルダー５を縦にした場合はトイレットペーパーの不使用時に空間を広くし、図７に実施方法を示すように巻紙ホルダー５を横に倒した場合は、トイレットペパー４を取り出しやすく使用することができる。
【００１７】
縦型の場合は、台板９を傾けて巻紙ホルダーの正面を使用者に向けて使用する機能を持たせるために台板９に巻紙ホルダー５の平面部１３を取り付けることになる。丈夫な巻紙ホルダーの平面部１３に調節用長穴を有し、この長穴に関係付けて台板９にボルト穴を有するようにしてボルト穴にボルトを締結して前記の平面部を台板に固定し、ボルトを緩めて締め直して巻紙ホルダーの設置位置を変更できる。実施例２の場合に平面部は台板９に取り付けるために平面部が丈夫な構造になっていて、この平面部には調節用の長穴を設けている。この調節用長穴とボルトは、図６〜７には図示しないが、実施例１図４〜５の符号１５〜１６に図示するによう巻紙ホルダーを台板に固定するものである。
【実施例３】
【００１８】
図８〜１０の実施例は、軸芯の角度固定型の場合である。１は、  台形状の台、２は、  取り付け部、３は、  壁面又は柱面、１０は、    台斜面部である。４〜６、１７〜１８は、図１〜３と同じである。
軸心６に角度を付けるために台形状の台１の斜面部１０に巻紙ホルダー５をボルトで締結して、トイレットペーパーの取り出し方向を斜めにしたものである。巻紙ホルダーの裏面部に有する長穴にボルトを入れてボルトで台斜面部に締結し、固く締めたボルトを緩めて締め直して巻紙ホルダーの取り付け位置を変更できるようにした。
【００１９】
左右の高さが異なる台形の台１の斜面部１０に巻紙ホルダーの裏面部をボルトで設置する。この台１には取り付け部２を備えて、前記の台を壁面若しくは柱面３にねじ止めして使用者の手の届く範囲に巻紙ホルダー５を傾斜して設置することができる。
【００２０】
巻紙ホルダー５の裏面部に調節用長穴を有し、台１の斜面部にボルト穴を設けて、ボルトで巻紙ホルダーの裏面部を斜面部１０に設置することによって巻紙ホルダー位置を変更できる。巻紙ホルダー５を台１に固定する調節用長穴とボルトは、図８〜９には図示しないが、図４〜５の符号１５〜１６と同じ構成である。巻紙ホルダーを設置する台１に籠１７を設け、めがね、薬剤、生理用品など小物置きとして使用できるようにした。
【産業上の利用可能性】
【００２１】
本発明装置は、容易にトイレットペーパーの取出しができ、本発明装置をトイレット室内の側面に取付けることによって、大人、子供、老人、身体不自由者にも使用容易になる。巻紙ホルダーに籠を備えることにより、めがね、薬剤、生理用品など小物置きとして使用できるようにした。
【図面の簡単な説明】
【００２２】
【図１】横型の場合、取り出しやすい巻紙ホルダーの実施方法を示した平面図である。（実施例１）
【図２】横型の場合、取り出しやすい巻紙ホルダーの実施方法を示した正面図である。（実施例１）
【図３】横型の場合、取り出しやすい巻紙ホルダーの実施方法を示した側面図である。（実施例１）
【図４】横型の場合、取り出しやすい巻紙ホルダーの取り付け部を示した正面図である。（実施例１）
【図５】横型の場合、取り出しやすい巻紙ホルダーの取り付け部を示した分解平面図である。（実施例１）
【図６】縦型の場合、取り出しやすい巻紙ホルダーの取り付け方法を示した側面図である。（実施例２）
【図７】縦型の場合、取り出しやすい巻紙ホルダーの実施方法を示した説明図である。（実施例２）
【図８】固定型の場合、取り出しやすい巻紙ホルダーの実施方法を示した正面図である。（実施例３）
【図９】固定型の場合、取り出しやすい巻紙ホルダーの実施方法を示した平面図である。（実施例３）
【図１０】固定型の場合、取り出しやすい巻紙ホルダーの実施方法を示した側面図である。（実施例３）
【符号の説明】
【００２３】
１    台形状の台
２    取り付け部
３    壁面又は柱面
４    トイレットペーパー
５    巻紙ホルダー
６    トイレットペーパーの巻き軸芯
７    蝶番
８    取り付け板
９    台板
１０    台斜面部
１１，11ｂ    角度調整用ストッパー
１２    ストッパーの支板
１３    ホルダー平面部
１４    ホルダー裏面部
１５    ボルト
１６    長穴
１７    籠
１８    蓋押さえスプリング
１９    トイレットペーパーの蓋
２０    位置決め爪
【図１】
2006334041.tif 000003
【図２】
2006334041.tif 000004
【図３】
2006334041.tif 000005
【図４】
2006334041.tif 000006
【図５】
2006334041.tif 000007
【図６】
2006334041.tif 000008
【図７】
2006334041.tif 000009
【図８】
2006334041.tif 000010
【図９】
2006334041.tif 000011
【図１０】
2006334041.tif 000012